(57)【特許請求の範囲】
【請求項１】
下側支持面（１’）を有する支持体（１）であって、上部に、広告モチーフの取付けおよび固定のための長手方向ハウジングを有し、前記長手方向ハウジングが長手方向溝部（１１）の形を採用している、支持体（１）と、
形状記憶を有する可撓性材料から作られた、地面に対して直立した状態で配置される３次元広告モチーフ（２、２ａ、２ｂ、２ｃ、２ｄ、２ｅ）と、
前記広告モチーフを前記支持体（１）に固定するための手段と、
前記支持体（１）を地面に固定する手段と、
を備えることを特徴とする運動場用広告装置。
【請求項２】
前記広告モチーフを前記支持体に固定するための前記手段は、下側付属部（２１）からなり、前記下側付属部は、前記支持体（１）の上側領域に設けられた前記長手方向溝部（１１）の形と係合する形であり、前記長手方向溝部（１１）に挿入されることを特徴とする請求項１に記載の装置。
【請求項３】
前記広告モチーフの前記下側付属部（２１）が突出部の形状をしており、
前記長手方向溝部の中に横孔が固定要素（３）とともに配置されており、前記横孔は、前記支持体の前記長手方向溝部（１１）の境界を定める側壁（１２）に位置し、前記固定要素（３）は、前記長手方向溝部（１１）の前記側壁（１２）の前記横孔（１３）に通し、かつ、前記広告モチーフの前記突出部（２１）に画定されている孔（２２）に通して取り付けられていることを特徴とする請求項２に記載の装置。
【請求項４】
前記支持体（１）には、前記長手方向溝部（１１）の側部に、前記支持体（１）が置かれる土地に前記支持体（１）のアンカー留め要素を設置するための縦開口部（１４）がある、ことを特徴とする請求項１から３のいずれか１項に記載の装置。
【請求項５】
前記広告モチーフ（２）の前記突出部（２１）の厚さは、前記平坦な支持体（１）の前記長手方向溝部（１１）の幅と係合する寸法となっていることを特徴とする請求項１から４のいずれか１項に記載の装置。
【請求項６】
形状記憶を有する前記可撓性材料であって、前記広告モチーフ（２）が製造される前記可撓性材料は、ＥＶＡ（エチレンビニルアセテート）であることを特徴とする請求項１から５のいずれか１項に記載の装置。
【請求項７】
前記支持体（１）には、前記支持体（１）を位置させる土地と同化させるように意図された擬装用の仕上げまたは装飾があり、前記仕上げまたは装飾は、前記土地の色が施されている
ことを特徴とする請求項１から６のいずれか１項に記載の装置。
【請求項８】
前記支持体（１）の前記擬装用の装飾は、前記支持体が設置される土地と同様の色を有するように、前記支持体の材料を製作することによって実施されることを特徴とする請求項７に記載の装置。
【請求項９】
前記支持体（１）の前記擬装用の装飾は、前記支持体が設置される土地と同様の色で前記支持体を塗装することによって実施されることを特徴とする請求項７に記載の装置。
【請求項１０】
前記支持体（１）の前記擬装用の装飾は、前記支持体が設置される土地と同様の色を有するシートで前記支持体を覆うことによって実施されることを特徴とする請求項７に記載の装置。
【請求項１１】
下側支持面を有する支持体（１）であって、高い位置に長手方向溝部（１１）であって、横孔（１３）がある２つの側壁（１２）によって境界が定められている長手方向溝部（１１）を有する支持体（１）と、
形状記憶を有する可撓性材料からなる３次元広告モチーフ（２）であって、その厚さが一様であり、前記支持体（１）の前記長手方向溝部（１１）に取り付けるための下側突出部（２１）がある、３次元広告モチーフ（２）と、
前記側壁（１２）の横孔（１３）に通し、かつ、前記広告モチーフ（２）の前記突出部（２１）に画定されている孔（２２）に通して取り付けられた固定要素（３）と、
を備えるタイプの広告装置において、
前記支持体（１）は、地面にアンカー留めするために、前記支持体（１）の中央位置で長手方向に一列に並ぶように配置された下側付属部（４ａ、４ｂ）を備えることを特徴とする請求項１に記載の広告装置。
【請求項１２】
前記支持体（１）には、丸みのある縁部（１７）、前面、および、後面があり、
前記側壁（１２）の上部は丸みがあって、長手方向に削って開けられた空間（１８）を画定しており、前記空間（１８）に前記横孔（１３）が実施されていることを特徴とする請求項１１に記載の装置。
【請求項１３】
前記下側付属部（４ａ）は前記支持体（１）自体に画定されていて、前記支持体（１）の下面から垂直に延びていることを特徴とする請求項１１に記載の装置。
【請求項１４】
前記支持体（１）の前記長手方向溝部（１１）の基部の保護された位置に、取外し可能な前記下側付属部（４ｂ）の開口部（１６）があることを特徴とする請求項１１又は１２に記載の装置。
【請求項１５】
地面にある孔に前記下側付属部（４ａ、４ｂ）を挿入するための管状スリーブ（５）を備えることを特徴とする請求項１１に記載の装置。
【請求項１６】
広告用標示を形成する前記広告モチーフ（２ａ、…、２ｅ）の全てまたは一部に固定され、前記広告モチーフをつなぎ合わせる少なくとも１つの透明要素（３）を備えており、
前記透明要素（３）が前記広告モチーフ（２ａ、…、２ｅ）の少なくとも一部の下側末端を越えて下方へ突出し、前記支持体（１）の前記長手方向溝部（１１）に収められ、固定された下側部分（３１）を備えることを特徴とする請求項３に記載の広告装置。
【請求項１７】
前記広告モチーフ（２ａ、…、２ｅ）の一部に、前記支持体（１）の前記長手方向溝部（１１）に収められ、固定された下側突出部（２１）があることを特徴とする請求項１１に記載の装置。
【請求項１８】
前記透明要素（３）は、半硬質材料から形成されていることを特徴とする請求項１６に記載の装置。
【請求項１９】
前記透明要素（３）は、可撓性材料から形成されていることを特徴とする請求項１６に記載の装置。
【請求項２０】
前記広告モチーフの間に配置された接合領域を備え、
前記接合領域は、前記装置を設置する広場と同化するための偽装用装飾を有することを特徴とする請求項１から１９のいずれか１項に記載の装置。
【請求項２１】
前記接合領域の前記偽装用装飾は、前記装置が設置された土地の色と同様の色を有するように前記領域の材料を製作することによって実施されることを特徴とする請求項２０に記載の装置。
【請求項２２】
前記接合領域の前記偽装用装飾は、前記装置が設置された土地の色と同様の色に前記接合領域を塗装することによって実施されることを特徴とする請求項２０に記載の装置。
【請求項２３】
前記接合領域の前記偽装用装飾は、前記装置が設置された土地の色と同様の色を有するシートで前記接合領域を覆うことによって実施されることを特徴とする請求項２０に記載の装置。
【請求項２４】
前記接合領域を前記覆うことは、ビニールシートによって実施されることを特徴とする請求項２３に記載の装置。
【請求項２５】
前記偽装は、芝生をまねた色で実施されていることを特徴とする請求項２０から２４のいずれか１項に記載の装置。
【発明の詳細な説明】
【技術分野】
【０００１】
本発明は、広告モチーフ（ｍｏｔｉｆ）を、例えば運動場の地面または土地に本質的に鉛直位置に配置しつつ、その近くにいる人に危険を及ぼすことなく、見る人に大きな視覚的効果を与える広告装置に関する。
【背景技術】
【０００２】
この広告装置は、さまざまな土地、特に、限定はしないが、運動場で広告を展示するのに利用可能である。
【０００３】
さまざまなタイプの広告装置を運動場や、多くの人々が参加するイベントが開催される場所に、非常に多くの人々が注目することを生かすという目的で置くことはよくある。このような広告装置は、その場で開催された試合またはイベント、例えばスタジアムでのサッカーの試合のテレビ中継があれば、効果がより大きくなる。この理由で、広告装置の魅力を向上させることが求められている。
【０００４】
広告効果という観点から、ゴールエリアは非常に重要である。にもかかわらず、上記領域に従来の装置を置くことには、装置にぶつかったときに怪我をすることもあり得るという競技者が動き回ることによる問題を孕んでいる。ゴールがある競技の場合、ゴールネットは広告効果が大きい場所である。しかしながら、規則により、ネットに広告を置くことは禁じられている。それでも、まるでネット上にあるかのようであり、同時に、競技者に危険を及ぼさない広告装置を得ようとすることは、望ましい目的である。
【０００５】
特許文献１には、鉛直または斜めの位置で透明層状要素を備える装置について記載されており、この装置は、この透明層状装置の下には、これも透明な構造物からなる支持体が、装置をゴールのネットの背後に配置するように設けられている。この層状要素には、デザイン、掲示、または、ロゴを形成するための不透明または半透明の領域があり、この不透明または半透明の領域は、上記ネットの色と同一または同様の色をしている。この装置には、さまざまな方向から見たときに、不透明または半透明な領域がゴールと合体したような光学的な効果がある。
【０００６】
この装置の第１の弱点は、雨が降ったり、周囲の湿度が高いと、透明層状要素が曇ったり、水滴が溜まったりして視覚効果が低下し、広告がきれいに表示されなくなるというものである。この装置の別の弱点は、この装置とぶっつかった場合に、人または選手が怪我をするかもしれないというものである。このために、この装置をゴールポストに置くことは適切でない。
【先行技術文献】
【特許文献】
【０００７】
【特許文献１】西班牙第  １０７３１１７号公報
【発明の概要】
【発明が解決しようとする課題】
【０００８】
要するに、本発明が克服しようとする問題は、ネット上に置かれていないのに、ネット上にあるように見えるよう広告を配置できる装置であって、万が一誤って装置にぶつかったとしても、選手にとって危険でないというそのような性質を持つ装置を得ることである。
【課題を解決するための手段】
【０００９】
本発明の出願人は、特定した問題を満足に解決する従来技術の存在を知らない。
【００１０】
本発明は、新規で、視覚的に魅力的な様相を提供するように意図された技術的特徴がある広告装置を含み、この技術的特徴は、装置の近くにいる人々、すなわち、主に、この装置が据え付けられたスポーツイベントに参加した競技者の安全に危険を及ぼすことなく提供されるものである。
【００１１】
上記の目的は、請求項１に記載の装置によって達成される。
【００１２】
広告モチーフは、文字、単語、ロゴ、図、および／または、さまざまな図柄から形成されていて、地面に直立に配置され、魅力的な形態をしていてもよい。視覚効果は、競技場の地面または土地に対して本質的に鉛直に設置され、厚みにより３次元の体積を有する広告モチーフによるものである。３次元的であること、または、厚みの効果を増すために、広告モチーフの厚みを決める領域に、広告モチーフの前面または後面と異なる色をつけてもよい。この装置は、装置の表示を害する湿度や雨の影響を受けず、装置を鑑賞することや見ることを困難にするスポットライトや太陽による反射やぎらつきを生じることもない。
【００１３】
本発明は、本発明のさまざまな状況への適応法を示すさまざまな態様または実施形態をさらに備える。
【００１４】
発明の第１の態様によれば、広告装置は、
−  横孔がある２つの側壁で境界が定められた長手方向ハウジングまたは溝部を上側に画定する支持面を画定する支持体と、
−  形状記憶を有する可撓性材料からなり、支持体の長手方向溝部に取り付けるための突出部と呼ぶ下側領域がある広告モチーフとを備え、
−  装置には、オプションとして、広告モチーフを固定するための要素で、支持体の溝部の側壁の横孔とともに、広告モチーフの突出部に形成された孔に通されて取り付けられる要素があってもよい。
【００１５】
支持体には、支持体を地面にアンカー留めするための縦穴があってもよい。このようにして、支持体が、風の作用で押された結果ひっくり返ることが防止される。
【００１６】
広告モチーフの突出部は、この突出部が導入される支持体の長手方向溝部の幅と係合する厚さとなっていることが好ましい。つまり、長手方向溝部に導入されるので、広告モチーフは同一平面に配置された状態を維持する。上記固定は、前述した横向きの固定要素によって保証される。
【００１７】
好ましい実施形態では、形状記憶があり、広告モチーフを製造するのに使用される可撓性材料は、ＥＶＡ（エチレンビニルアセテート）である。この材料は、軽く、万が一競技者が広告モチーフにぶっつかったり、押したりしても折れて、いかなる怪我をすることもない。押された広告モチーフは、押す力がなくなると、以前の直立姿勢を回復する。
【００１８】
広告モチーフは、支持体の長手方向溝部に一列に並べて装着するための、互いに独立したさまざまな要素によりできていてもよい。または、広告モチーフは、一体に形成されていてもよい。この場合、広告モチーフは、共通の突出部によってつなぎ合わされる。この結果、広告モチーフを支持体に取り付けることがより簡単であり、広告モチーフを溝部の内部に固定することを、貫通させる固定要素の数を少なくして実現できる。
【００１９】
特に有益な実施形態では、支持体の外面が、支持体を設置した場所（広告装置を据え付けた運動場の土地または表面）の背景に対して支持体を偽装できる色をしている。この色は、偽装する色の材料から支持体を作ることによって、支持体を適切な色で塗装することによって、または、支持体を適切なシートで覆うことによって得ることができる。例えば、シートは、サッカー場の芝生を擬態し、上記支持体が地面と視覚的に同化し、観客には広告モチーフだけがまるで競技場で浮いているように見えるようにする。
【００２０】
これにより、広告のみが、地面上に支持体がないのに、まるで空中に浮いて見えるように支持体を偽装するということと、さらには、広告がネット上に置かれているという印象を創出するということの２つの効果が得られる。後者の効果は、本特許では擬態と呼ぶ。
【００２１】
本発明の第２の態様によれば、広告装置には、人が広告モチーフの支持体にぶつかる、または、接触することに対する安全性を向上させると共に、取付けの安定性と容易さを向上させることを意図した技術的特徴がある。
【００２２】
上記第２の態様によれば、広告装置は、
−  下側支持面を有する支持体であって、上部に長手方向溝部があり、この長手方向溝部が２つの側壁によって境界が定められており、２つの側壁に横孔がある、支持体と、
−  可撓性材料からなる３次元広告モチーフであって、下側突出部があり、この下側突出部が支持体の長手方向ハウジングまたは溝部に収められている、３次元広告モチーフと、
−  長手方向溝部の側壁の横孔、および、広告モチーフの突出部に画定された孔を通っている固定要素と、
を備える。
【００２３】
本発明の有益な実施形態によれば、支持体は、地面にアンカー留めするための下側付属部を備え、この下側付属部は、上記支持体の中央の位置に、長手方向に一列に並ぶように配置されている。
【００２４】
これらの下側付属部により、よりよく保持することができる。下側付属部を配置することにより、硬い頭部が支持体の外部にあるために、装置に、より具体的には支持体にぶつかったり、接触したりする人が怪我をする恐れがあるアンカー留めを装着しないですむ。
【００２５】
安全性を高め、怪我を防ぐために、支持体は、丸みのある長手方向縁部、前面、および、後面があるように設計されている。縦壁の上部にも丸みをつけ、削って得られた長手方向の空間を画定し、この空間に横孔を実施している。このようにして、支持体の輪郭には、損傷を与えたり、切ったりするかもしれない尖った部分は突出していない。さらに、削って得られた空間があることで、固定要素の端部、例えば、ネジの頭部およびナットをぶつかったり、接触したりする人の体と直接接触する領域から離して上記支持体に配置し、その人を守ることができる。
【００２６】
広告装置の好ましい他の実施形態では、下側付属部が支持体自体に画定されていて、上記支持体の下面から垂直に延びている。この結果、装置を地面に直接アンカー留めすることが、単に体重をかけることで簡単にできる。
【００２７】
別の実施形態では、支持体の長手方向溝部の基部に開口部があり、この開口部は、取外し可能な下側付属部を保護されたところに位置させるためのものである。これらの付属部はネジ等であり、頭部が、広告モチーフの下の長手方向溝部の中で保護されている。結果として、上記取外し可能な下側付属部のいずれの部分によっても、人が傷つけられたり、怪我をしたりする可能性はない。
【００２８】
広告装置を同じ場所に取外し可能に繰り返し配置しやすくするために、上記広告装置は、下側付属部を地面の孔に挿入するための管状スリーブを備えていてもよい。これらの管状スリーブは、下側付属部を入れる条件しだいでさまざまな長さからなるが、広告装置が据え付けられていないときに上記孔が塞がることを防止し、広告装置は簡単かつ迅速に装着でき、安定に維持できる。
【００２９】
さらに、これらの広告材料が可撓性材料から作られているので、万が一選手または人が装置にぶつかったとしても、上記広告モチーフは折れ曲がるという事実から、怪我をする危険は最小である。広告モチーフに力がかからなくなると、広告モチーフは元の位置に戻る。
【００３０】
第３の態様によれば、本発明にはまた、アクセント符号、ハイフン、グラフィックその他の場合のように、広告モチーフの要素が上下に位置する場合であって、間に関係が存在しないという効果を創出することが意図されている場合に好ましい実施形態がある。
【００３１】
両方の場合において可能な解決策は、別個の部品から形成されたモチーフ、または、下側支持体でモチーフを支持するための突出部を有するモチーフよりも高い位置にあるモチーフの一部の下側領域の方へ伸ばすことであろう。しかし、この解決策では、表示する広告モチーフの元の形態を変える必要があり、一般的に受け入れられない。本発明は、限定しない方法で、これに対する２つの好ましい解決策を含む。
【００３２】
上記第３の態様によれば、本発明の対象である、上述したタイプの広告装置には、さまざまな３次元広告モチーフを支持体に確実に正確に従属させ、広告モチーフの元の形態を維持し、例えばアクセント符号、ハイフンの場合、または、広告モチーフの大きな部分が支持体の長手方向溝に対して持ち上げられている場合のように、上記広告モチーフの一部が残りの部分とは別個、または、独立している部分を形成する場合にさえ、極めて少数のモチーフが上記支持体にそれぞれの突出部によって固定される、ということに向けられた設計上の特徴がある。
【００３３】
この目的のために、かつ本発明によれば、この広告装置は、少なくとも１つの透明層状要素（この透明層状要素は、硬質、半硬質、または、可撓性であってもよい）を備える。透明層状要素は、広告標示を形成するモチーフの全て、または、一部に固定され、これらのモチーフをつなぎ合わせ、上記透明要素が、上記広告モチーフの少なくとも一部の下側末端を越えて下方へ延び、かつ、支持体の長手方向溝部の中に収まり、固定された下側部分を備えるようにする。
【００３４】
この透明要素は、全てのモチーフを支持体に固定することを、上記モチーフが残りの部分とは別個のもの、または、独立したものであっても可能にする。上記広告モチーフの形態または元の位置を変更する必要はない。
【００３５】
さらに、前述した要素の透明という性質により、この要素は、ある程度離れた位置から見ている人には見えず、表示する広告を形成する３次元モチーフのみが見え、３次元モチーフの所望の効果が得られる。
【００３６】
この透明要素を使用することがさらに好ましいのは、前述した支持体に届き、支持体の上側長手方向溝部に収まって固定される突出部を有する広告モチーフの数が不十分で、標示を形成する広告モチーフのアセンブリの支持体に対して効果的に従属させることができないときである。
【００３７】
発明の好ましい実施形態では、前述した透明要素が可撓性材料から形成されるが、これは、ぶつかったときに透明要素が変形でき、装置にぶつかった人または選手を傷つける危険を回避することが目的である。
【００３８】
広告モチーフと、透明要素または複数の透明要素との間は、機械的なタイプの接着剤によって固定してもよいし、グリッピング要素（ｇｒｉｐｐｉｎｇ  ｅｌｅｍｅｎｔ）によって固定してもよいし、これに利用することが適切であると思われる他のあらゆるものによって固定してもよい、ということに言及することが妥当である。これは、発明の本質に影響しないという事実によるものである。
【００３９】
同様に、支持体にシートを固定することは、ネジまたは横向きグリッピング要素によって実現することが好ましいが、適切な他のあらゆる接合手段の使用が考えられないわけではない。
【００４０】
本発明の第４の態様によれば、装置は、偽装装飾を有する領域を備える。偽装装飾は、装置を置く競技場と同化しようとするものである。上記の領域は、広告モチーフと支持体とをつなぎ合わせるブリッジング部品（ｂｒｉｄｇｉｎｇ  ｐｉｅｃｅｓ）を備えていてもよい。このようにして、上記の領域は土地の背景に偽装され、見ている人には見えず、特にある程度離れて見ている人、または、テレビで見ている人には見えなくなる。
【００４１】
偽装は、装置が製造される材料の上記領域に適切な色を与えること、領域を塗装すること、または、領域を適当な材料、例えば、サッカー場の芝生を擬態するビニールシートによって覆うことが好ましい。
【００４２】
明確にするために図面を添付したが、図面は、非限定的な例であるが例示および説明のために、本発明の対象である広告装置の実施形態を示すものである。
【図面の簡単な説明】
【００４３】
【図１】装置の斜視図であり、さまざまな広告モチーフが所定位置にあり、１つが下側突出部が見えるように引き抜かれているところを示す図である。
【図２】運動場で実際に置かれている装置の斜視図である。
【図３】この事例では、長手方向溝部の下に固定された横向きの平坦な棒材によって形成された支持体の実施形態の変形例を示す図である。
【図４】一体に形成され、共通の下側突出部が設けられている装飾用モチーフの実施形態の一例の正面図である。
【図５】下側付属部を示す、発明による装置の別の実施形態の一例の立面図である。
【図６】下側付属部が支持体自体に画定されている、装置の実施形態の一例の斜視図である。
【図７】図６の支持体が地面に対して鉛直方向に変位し、地面の孔に下側付属部を挿入するための管状スリーブがある、装置の他の実施形態の断面図である。
【図８】下側付属部が取外し可能な部品からなり、この取外し可能な部品が、支持体の長手方向溝部の基部に画定された孔に収められている、さらに別の実施形態の、図７と類似の図である。
【図９】本発明の対象である広告装置の実施形態のさらに他の例の正面図である。
【図１０】図９の広告装置の後面図である。
【図１１】平面Ａ−Ａ’で取った、つまり、突出部が取り付けられていて、下側支持体に固定された広告モチーフの１つに対応する、図９の広告装置の断面図である。
【図１２】平面Ｂ−Ｂ’で取られ、地面の支持体に対して持ち上げられた個別部分を形成する広告モチーフの１つと一致する、図１０の広告装置の断面図である。
【図１３】発明のさらに別の好ましい実施形態の斜視図である。
【図１４】偽装用ビニールがない、図１３の実施形態の構成要素の斜視図である。
【図１５】図１４の詳細の斜視図である。
【図１６】ビニールを設置する前の、図１３から図１５の実施形態の例の斜視図である。
【発明を実施するための形態】
【００４４】
図１から図４に見られるように、装置は、平坦な支持体（１）を備え、支持体（１）は、下側支持面（１’）を有し、上側に、長手方向ハウジングまたは溝部（１１）を有する。溝部（１１）は、２つの側壁（１２）によって境界が定められており、側壁（１２）には横孔（１３）がある。
【００４５】
上記長手方向溝部（１１）には、３次元広告モチーフ（２）が取り付けられている。３次元広告モチーフ（２）は、形状記憶を有する可撓性材料、例えばＥＶＡから形成されている。
【００４６】
図１から図３に示した例では、３次元広告モチーフ（２）が独立しており、低い位置に突出部（２１）をそれぞれ有する。突出部（２１）は、３次元広告モチーフを長手方向溝部（１１）の内部に取り付け、固定するためのものである。図４に示す変形例では、広告モチーフ（２）が一体に形成されていて、低い位置に、支持体（１）の長手方向溝部（１１）に取り付け、固定するための共通の突出部（２１）を有する。
【００４７】
広告モチーフ（２）の突出部または複数の突出部（２１）は、支持体（１）の長手方向溝部（１１）の幅と係合して、広告モチーフ（２）を締まりばめで溝部（１１）の内部に装着し、上記広告モチーフを同一平面に配置するような厚さをしている。装置は、固定要素（３）を備えている。固定要素（３）は、この場合、ネジおよびナットであり、支持体（１）の側壁（１２）の横孔（１３）と、広告モチーフ（２）の突出部（２１）の孔（２２）とに通して取り付けられている。
【００４８】
長手方向溝部（１１）の支持体（１）がさまざまな幾何学的形状をしていてもよいことに言及することが妥当である。この点、例えば図１および図２では、支持体が平坦な構成をしていて、長手方向溝部（１１）の両側で、２つの連続的な面を画定している。一方、図３の変形例では、支持体が、長手方向溝部（１１）の下に固定された横向きの平坦な棒材によって構成されている。
【００４９】
いずれの場合にも、支持体（１）は、長手方向溝部（１１）の側部に、地面または土地にアンカー留めする不図示の要素を取り付けるための縦開口部（１４）を有する。
【００５０】
平坦な支持体（１）の外面には、平坦な支持体（１）を置いた土地に対して平坦な支持体（１）を偽装するためのカバーシート（１５）がある。本発明によれば、上記シートを保持する代わりに、支持体に塗装することによって、または、支持体を適切な色の材料から製造することによって偽装を行ってもよい。
【００５１】
図５から図８は、本発明の第２の実施形態を示している。第２の実施形態は支持体（１）を備え、支持体（１）は下側支持面を有し、高い位置に長手方向溝部（１１）を有する。長手方向溝部（１１）は、３次元広告モチーフを装着するためのものであり、引き抜き可能な固定要素（３）によって固定可能である。上記長手方向溝部（１１）は、２つの側壁（１２）によって境界が定められ、上記固定要素（３）を通すための横孔（１３）がある。
【００５２】
支持体（１）の下部には、下側付属部（４ａ）が、上記支持体（１）の中央の位置に長手方向に一列に並ぶように配置されている。図７は、下側付属部（４ａ）が支持体（１）の本体自体にどのように構成されているかを示している。
【００５３】
支持体（１）は、丸みのある長手方向縁部（１７）、前面、および、後面を有する。縦壁（１２）の上部もまた丸みがつけてあり、削って得られた長手方向空間（１８）を画定している。空間（１８）には、固定要素（３）の端部を保護するために、横孔（１３）が設けられている。固定要素は、この場合、ネジとナットの組合せからなる。
【００５４】
広告モチーフ（２）は、形状記憶を有する可撓性材料から形成され、厚さが一様である。可撓性材料は、この場合、ＥＶＡである。上記の３次元広告モチーフ（２）は独立しており、低い位置にそれぞれの突出部（２１）を有する。突出部は、長手方向溝部（１１）の内部に取り付け、固定するためのものである。
【００５５】
この場合、広告モチーフ（２）の突出部（２１）は、支持体（１）の長手方向溝部（１１）の幅と係合して、広告モチーフ（２）を締まりばめで溝部（１１）の内部に装着し、上記広告モチーフを同一平面に配置するような厚さをしている。突出部（２１）には孔（２２）があり、この孔（２２）を側壁部（１２）の横孔（１３）と位置を揃えて固定要素（３）を通すことで、上記広告モチーフ（２）を支持体（１）と一体にすることできる。
【００５６】
図７に示す別の実施形態では、装置（１）が管状スリーブ（５）を備えることが分かるであろう。管状スリーブ（５）は、地面に作られた孔の中に置かれ、支持体（１）の下側付属部（４ａ）が挿入される。
【００５７】
図８に示す代替実施形態では、支持体（１）の長手方向溝部（１１）の基部の保護された位置に、取外し可能な下側付属部（４ｂ）の開口部（１６）がある。
【００５８】
図９から図１２に示されている実施形態の他の例では、本発明による広告装置が見られるであろう。この広告装置は支持体（１）を備え、支持体（１）は、地面に接する下側支持面を有すると共に、支持体（１）の上部に長手方向溝部（１１）を有する。長手方向溝部（１１）は、別個の部品から形成される広告モチーフ（２ａ、２ｂ、２ｃ、２ｄ、２ｅ）を支える広告用ポスターを取り付け、固定するためのものである。本発明による装置は、透明シート（８）を備えている。透明シート（８）は、この場合、全ての広告モチーフ（２ａ、…、２ｅ）に固定され、広告モチーフ（２ａ、…、２ｅ）をつなぎ合わせている。
【００５９】
上記透明シート（８）は、広告モチーフ（２ａ、２ｂ、２ｃ、２ｄ、２ｅ）の末端を越えて下側へ延び、図１１および図１２に見られるように、支持体（１）の長手方向溝部（１１）の中に収められ、固定された下側部分（３１）を備えている。
【００６０】
示されている例では、透明シート（８）により、さまざまな広告モチーフ（２ａ、…、２ｅ）が支持体（１）に、モチーフ（２ａ、２ｂ、２ｃ、２ｄ、２ｅ）が支持体（１）に対して鉛直方向に離れているという事実にもかかわらず、確実に安定に固定する。図１１に示すように、モチーフ（２ｃ）のみ、支持体（１）の長手方向溝部（１１）の中に収められ、固定された突出部（２１）を低い位置に有する。
【００６１】
図１２は、支持体（１）から鉛直方向に離れている広告モチーフの１つ、具体的には広告モチーフ（２ｂ）が如何にしてその位置で透明シート（８）に固定されつづけているかを示している。
【００６２】
装置は、透明シート（８）と、広告モチーフ（２ａ、…、２ｅ）とからなる広告用ポスターを支持体（１）に固定するための手段（３）を備えている。この場合は、上記固定手段（３）は、横向きグリッピングネジである。
【００６３】
支持体（１）は、さらに、地面に固定するための手段を有する。この手段は、図１１ではネジ（４）によって表されている。
【００６４】
広告モチーフ（２ａ、…、２ｅ）の固定は、接着製品、または、グリッピング要素（６）で構成されてもよいことに言及することが妥当である。
【００６５】
図１２に見られるように、長手方向溝部（１１）の、透明シートの下側部分（３１）のみが入っている領域では、透明シートの横に詰め物（７）を充填し、前述した透明シート（８）の横方向の不要な遊びを防止する。
【００６６】
図１３から図１６には、本発明の対象である広告装置の他の実施形態が示されている。図１３から図１６では、先に示した実施形態の要素と等しい、または、同等の２つの要素が同じ番号で特定されており、したがって、詳しくは説明しない。この例では、前述した例における透明シートの設置方法に対する代替案が示されている。この代替案は、競技者の手がより届きやすいところ、または、指向性の高い照明が存在しているところに（このような照明では、透明シートがあることが気付かれてしまうであろう）より適するかもしれない。
【００６７】
見てきたように、広告モチーフ（２ａ、２ｂ、２ｃ）は、必要であれば、ブリッジング部品（９ａ、９ｂ、９ｄ）をつなぎ合わせることによって互いにつながれている。上記ブリッジング部品は、広告モチーフ（２ａ、２ｂ、２ｅ）と一体であり、同じ材料で実現されている。見ている人の注意を引き付けないように、これらのブリッジング部品は、シート（１０）で覆うことによって偽装してある。シート（１０）は、例えば、適切な色のビニールからなる。これらのブリッジング部品はまた、広告モチーフを位置させた場所の背景を擬態する材料で実現してもよい。例えば、サッカー場用の装置の場合、偽装は芝生の色をブリッジング部品につけることであってもよい。一般的な場合、装置を置いた場所の地面の色と混同するような色が選ばれる。同様に、示した例では、装置は支持体（１）の上の接着シート（１０）によっても偽装されている。接着シート（１０）は、広告モチーフが地面に対して浮いているという感覚を与えるのに寄与している。
【００６８】
偽装領域（１０）は、図１３では、ハッチングによって表されているが、偽装の目的は、シートで覆った領域の見た目を偽装することである。よって、シートは、シートを置こうとするところの環境の色と同様の色となるであろう。芝生場の場合、偽装は、好ましくは、芝生の写真または画像からなるであろう。
【００６９】
発明の性質を好ましい実施形態の例とともに十分説明したので、説明した要素の材料、形状、大きさ、および、位置を、以下に主張する発明の本質的な特徴を大きく変えることがないということを常に前提として修正できる点を正当な目的のために申し立てる。
【符号の説明】
【００７０】
１  支持体
１’  下側支持面
２、２ａ、２ｂ、２ｃ、２ｄ、２ｅ  広告モチーフ
３  固定要素、透明要素
４  ネジ
４ａ、４ｂ  下側付属部
５  管状スリーブ
６  グリッピング要素
８  透明シート
９ａ、９ｂ、９ｄ  ブリッジング部分
１０  接客シート、偽装領域
１１  長手方向溝部、長手方向ハウジング
１２  側壁、縦壁
１３  横孔
１４  縦開口部
１５  カバーシート
１６  開口部
１７  縁部
１８  空間
２１  突出部、下側付属部
２２  孔
３１  下側部分
【図１】
0006023194.tif 000002
【図２】
0006023194.tif 000003
【図３】
0006023194.tif 000004
【図４】
0006023194.tif 000005
【図５】
0006023194.tif 000006
【図６】
0006023194.tif 000007
【図７】
0006023194.tif 000008
【図８】
0006023194.tif 000009
【図９】
0006023194.tif 000010
【図１０】
0006023194.tif 000011
【図１１】
0006023194.tif 000012
【図１２】
0006023194.tif 000013
【図１３】
0006023194.tif 000014
【図１４】
0006023194.tif 000015
【図１５】
0006023194.tif 000016
【図１６】
0006023194.tif 000017